(57)【特許請求の範囲】
【請求項１】
遊技盤面上の遊技球が導かれる球流路に該遊技球を衝突させる触子を設け、遊技球の衝突による該触子の可動によって該遊技球が入賞し易い第１の状態と入賞し難い第２の状態とに変動する誘導部材を前記球流路における該触子の下流に設けることにより、該触子に衝突した後に該遊技球が該誘導部材に誘導され、該遊技球の入賞率が変化するように構成したことを特徴とするパチンコ遊技機の入賞装置。
【請求項２】
球流路は触子の左右両側に形成され、そのいずれかの球流路から流入した遊技球が触子に衝突することによって誘導部材の状態が変動するようにした請求項１に記載のパチンコ遊技機の入賞装置。
【請求項３】
磁石によって誘導部材を第１の状態と第２の状態とに静止させるようにした請求項１または２に記載のパチンコ遊技機の入賞装置。
【請求項４】
球流路は遊技球を加速するため傾斜状に形成されたものである請求項１〜３に記載のパチンコ遊技機の入賞装置。
【発明の詳細な説明】
【０００１】
【発明の属する技術分野】
本発明はパチンコ遊技機において遊技球を入賞に導くために遊技盤面に設けられる入賞装置に関するものである。
【０００２】
【従来の技術】
パチンコ遊技機の遊技盤面には、従来から、例えばソレノイドやモータ等の電気的駆動源によって球誘導部材を動かすものや、パチンコ球の重量によって羽根を開閉させるチューリップ型のものまで、種々の形態の入賞装置が設けられていて、遊技球が入賞し易い状態と入賞し難い状態に変動させることでパチンコの興趣を増大させるようにしている。
【０００３】
ところで、従来の電気的駆動源を使用した入賞装置は、必然的に入賞率が画一化されるために面白みが欠けるという問題がある。また従来のチューリップ型の入賞装置は、後続する遊技球を入賞し易くしたり入賞し難くするものであって、その遊技球自体の入賞の難易を左右するものではなかった。
【０００４】
【発明が解決しようとする課題】
そこで本発明は、電気的駆動源を使用することなく、入賞の難易の形成に多様性を持たせられるようにし、パチンコの興趣をさらに増大し得る入賞装置を提供しようとするものである。
【０００５】
【課題を解決するための手段】
そのために本発明に係るパチンコ遊技機の入賞装置は、遊技盤面上の遊技球が導かれる球流路に該遊技球を衝突させる触子を設け、遊技球の衝突による該触子の可動によって該遊技球が入賞し易い第１の状態と入賞し難い第２の状態とに変動する誘導部材を前記球流路における該触子の下流に設けることにより、該触子に衝突した後に該遊技球が該誘導部材に誘導され、該遊技球の入賞率が変化するように構成したことを特徴とする。
また本発明は上記入賞装置において、球流路は触子の左右両側に形成され、そのいずれかの球流路から流入した遊技球が触子に衝突することによって誘導部材の状態が変動するようにしたことを特徴とする。
また本発明は上記入賞装置において、磁石によって誘導部材を第１の状態と第２の状態とに静止させるようにしたことを特徴とする。
また本発明は上記入賞装置において、球流路は遊技球を加速するため傾斜状に形成されたものであることを特徴とする。
【０００６】
【発明の実施の形態】
次に本発明の実施形態を図１〜図８に従い説明する。図１にこのパチンコ遊技機における遊技盤１の正面を示し、図中、２は該遊技盤１上に設けられたカラー液晶表示器からなる図柄変動表示器、３はソレノイドの作動により扉４が開閉動するように設けられた大入賞口である。
【０００７】
４は図柄変動表示器２の器枠上部に設けられた入球口で、図２に示したように該入球口４の下部に左右への分岐流路５，６を夫々外向下傾状に形成し、該各分岐流路の先端には該図柄変動表示器２を両側から囲むように垂直な球流路７，８を形成し、該球流路７，８の下端に内向下傾状の球流路９，１０を延設する。該球流路９，１０は図柄変動表示器２の下縁部に位置し遊技球の動きが前方から見られるように前側縁に背の低い凸堤１１，１２が形成されている。なお、該球流路９，１０の合致部にはこの凸堤が形成されてない連通部１３があってその合致部を球流路１４，１５に連通させている。（図３参照）。また、図７にて分かるように、球流路９，１０の合致部の奥に長方形孔１６が開設され、該長方形孔１６中に支軸１７を遊嵌することにより触子１８を該連通部１３に配置している。なお触子１８は球流路９，１０を流落してきた遊技球が衝突し球流路１４，１５に向きを変え得るように両側面に円弧状切欠１８ａ，１８ｂが形成された分銅形を呈している。
【０００８】
球流路１４，１５は球流路９，１０の前側に外向下傾状に形成したものであって、該球流路１４，１５の前側にはさらに内向下傾状に球流路１９，２０が形成される。該球流路１９，２０の前側縁にはさらに背低の凸堤２１，２２が形成され、球流路１９，２０の合致部にはこの凸堤が形成されてない落下縁２３が設けられる。そして該落下縁２３に形成された一対の透孔２４，２４より一対の誘導部材２５，２５を出没自在なるように設ける。
【０００９】
該誘導部材２５，２５は昇降部材２６の前縁に一体に形成され、該昇降部材２６の下面にはカム部２７が形成されたものであり、該昇降部材を組付枠２８の前縁部に形成された竪ガイド２９，２９中に昇降自在に支持している。３０は該組付枠２８に突設された支点軸３１に回転自在に枢着されたリンクで、該リンクの先端には昇降部材２６の下部に進出しカム部２７に当接する摺動部３２が形成され、該リンクの他端部には長孔３３が形成され、該長孔中に前記支軸１７の下端部に突設された係合軸３４を遊嵌させている。
【００１０】
また、組付枠２８の後縁部に３つの磁石３５，３６，３７を並設するとともに、係合軸３４の先端に該磁石３５または３７に吸引し磁石３６には反発する磁石３８を固着している。なお、３９は落下縁２３の前下部に設けられた入賞口（始動口）である。
【００１１】
この入賞装置では、入球口４に入った遊技球ｐは分岐流路５または分岐流路６にいずれかに流れ、球流路７，９または球流路８，１０を経て触子１８の右側面または左側面に衝突する。触子１８の右側面に衝突した場合は、図８に示したようにその衝撃で該触子１８を左方に移動させリンク３０を反時計方向に回転させることから摺動部３２がカム部２７を介して昇降部材２６を押し上げ誘導部材２５，２５を落下縁２３に突出させる。そして触子１８に衝突した遊技球ｐは球流路１５，球流路２０を通り落下縁２３に至って誘導部材２５，２５間から落下し入賞口３９に入賞し易くなる。
【００１２】
一方、遊技球ｐが触子１８の左側面に衝突した場合は、図３に示したようにその衝撃で該触子１８を右方に移動させリンク３０を時計方向に回転させることから昇降部材２６の誘導部材２５，２５が下げられる。そして該触子１８に衝突した遊技球ｐは球流路１４，球流路１９を通り落下縁２３より落下する。なお、この落下の際は誘導部材２５，２５による誘導がないので入賞口３９に入賞し難くなる。
【００１３】
このようにこの実施形態では、遊技球ｐが触子１８に対し左側から衝突するか、右側から衝突するかによって誘導部材２５，２５が突出または没下し、その遊技球ｐの入賞口３９への入賞の難易度が決定されることとなる。なお、遊技球ｐが衝突する強度によっては触子１８は移動することなく誘導部材２５，２５の状態が変化しないこともある。
【００１４】
また、上記のようにリンク３０が回転する際に磁石３８は両端部の磁石３５，３７には吸引され中間部の磁石３６には反発することから、誘導部材２５，２５を落下縁２３より突出させた第１の状態と、没下した第２の状態とに静止せられる。
【００１５】
次に、図９〜図１２に示した本発明の他の実施形態を説明する。この実施形態に示した入賞装置では、図柄変動表示器２の一側縁に設けた入球口４０より、垂直な球流路４１を形成し、該球流路の下端に下傾状の球流路４２を延設し、該球流路の前側縁に背の低い凸堤４３を形成し、該球流路の前側にその先端部４４で折り返して該球流路４２と連通する球流路４５を形成し、該球流路４５の前側縁に背低の凸堤４６，４６を形成する。
【００１６】
４７は球流路４５の凸堤４６，４６が形成されてない部分に設けられた略円筒形の誘導部材で、該誘導部材は器枠に水平に設けられた支軸４８に回転自在なるように設けられ、該誘導部材の外周面の１個所に球案内用の浅溝４９を前傾状なるように形成するとともに、該誘導部材の奥端部外周の相対する２個所に触子５０，５１を形成する。そして支軸４８の基部に形成された四角柱５２の四外周面にその上下面の磁石５３，５５を外面がＳ極となり、両側面の磁石５４，５６を外面がＮ極となるように固着する。また、誘導部材４７の触子５０，５１が位置する内周に相当する部位にＮ極が内側となるように磁石５７，５８を固着し、該磁石５７，５８と磁石５３，５５とを対向させる。このため誘導部材４７が回転したとき該各磁石の吸引力と反発力が作用し、該誘導部材４７は浅溝４９が真上に位置したときと真下に位置したときに安定静止する。そして浅溝４９が真上に位置したときは触子５０が球流路４２に開設された長方形孔５９から突出し、浅溝４９が真下に位置したときは触子５１が該長方形孔５９から突出する。
【００１７】
このため、入球口４０に入った遊技球ｐは図１２に示したように球流路４１，４２を通って触子５０または５１に衝突し誘導部材４７を回転させることから浅溝４９を真下に位置させることもあり、また、その回転如何によって図９に示したように浅溝４９が真上に位置することもある。そして該遊技球ｐは先端部４４で折り返して球流路４５を流下し、浅溝４９が真上に位置しているときは、該浅溝４９上に乗って真直に前方に排出されるので入賞口３９へ容易に入賞し得る一方、浅溝４９が真下に位置しているときは、該誘導部材４７の両サイドから排出され易いので入賞口３９への入賞は困難となる。
【００１８】
なおこの入賞装置は図示した第１種パチンコ遊技機だけでなく、羽根物と称される周知の第２種パチンコ遊技機、および権利物と称される第３種パチンコ遊技機に設けることも可能である。また、入球経路，流出経路，構造についてもこの実施形態にとらわれることなく種々の形態を想起し得る。
【００１９】
【発明の効果】
このように本発明のパチンコ遊技機は、遊技盤面上の遊技球が導かれる球流路に該遊技球を衝突させる触子を設け、該触子の衝突による可動によって誘導部材を遊技球が入賞し易い第１の状態と入賞し難い第２の状態とに変動させるとともに、該触子に衝突した後に遊技球が該誘導部材に誘導されるようにすることで、該触子への衝突具合により該遊技球の入賞率が変化するように構成したので、電気的駆動源を使用することなく、入賞の難易の形成に多様性を持たせられるようにし、パチンコの興趣をさらに増大し得る効果がある。
【図面の簡単な説明】
【図１】本発明の実施形態を示すパチンコ遊技機の遊技盤の正面図。
【図２】本発明の実施形態を示すパチンコ遊技機の入賞装置の正面図。
【図３】本発明の実施形態を示すパチンコ遊技機の入賞装置の斜視図。
【図４】本発明の実施形態を示すパチンコ遊技機の入賞装置の水平断面平面図。
【図５】本発明の実施形態を示すパチンコ遊技機の入賞装置の縦断面図。
【図６】本発明の実施形態を示すパチンコ遊技機の入賞装置の要部の斜視図。
【図７】本発明の実施形態を示すパチンコ遊技機の入賞装置の分解斜視図。
【図８】図３の作動状態図。
【図９】本発明の他の実施形態を示すパチンコ遊技機の入賞装置の正面図。
【図１０】本発明の他の実施形態を示すパチンコ遊技機の入賞装置の斜視図。
【図１１】本発明の他の実施形態を示すパチンコ遊技機の入賞装置の縦断面図。
【図１２】図１０の作動状態図。
【符号の説明】
１          遊技盤
４          入球口
９，１０    球流路
１４，１５  球流路
１８        触子
１９，２０  球流路
２５        誘導部材
３０        リンク
３５〜３８  磁石
３９        入賞口
ｐ          遊技球
【図１】
0003921356.tif 000002
【図２】
0003921356.tif 000003
【図３】
0003921356.tif 000004
【図４】
0003921356.tif 000005
【図５】
0003921356.tif 000006
【図６】
0003921356.tif 000007
【図７】
0003921356.tif 000008
【図８】
0003921356.tif 000009
【図９】
0003921356.tif 000010
【図１０】
0003921356.tif 000011
【図１１】
0003921356.tif 000012
【図１２】
0003921356.tif 000013